(57)【要約】【課題】薄型化が図れ、下側の回転体であっても容易に操作でき、下側２つの回転体をあたかも同一面上に設置されているかのように構成できる多重回転式電子部品を提供する。【解決手段】第１回転軸１３を有する第１回転体１０と、筒状であって第１回転体１０の下側に配置され第１回転軸１３と同じ軸中心で回転する第２回転体７０と、筒状であって第２回転体７０の下側に配置され第１回転軸１３と同じ軸中心で回転する第３回転体１００とを具備する。第１回転体１０の下面に設けた収納部１５内に第２回転体７０と第３回転体１００の一部とを収納設置する。第２回転体７０と第３回転体１００のそれぞれから第１回転体１０の外周壁１１の下辺の下側を通して外周壁１１の外方に操作レバー７５，１０５を突出させ、操作レバー７５，１０５に外周壁１１の外方において上方向に突出する操作部７５ｂ、１０５ｂを設ける。【選択図】図６
2010140692.tif 000002
【特許請求の範囲】
【請求項１】
下面から第１回転軸を突出してなる第１回転体と、筒状であって前記第１回転体の下側に配置されかつ前記第１回転軸と同じ軸中心で回転する第２回転体と、筒状であって前記第２回転体の下側に配置されかつ前記第１回転軸と同じ軸中心で回転する第３回転体と、前記第１回転体の回転によって回転操作される第１電気的機能部と、前記第２回転体の回転によって回転操作される第２電気的機能部と、前記第３回転体の回転によって回転操作される第３電気的機能部と、を具備し、
前記第１回転体の下面の前記第１回転軸の周囲に収納部を設けてこの収納部内に少なくとも前記第２回転体を収納設置したことを特徴とする多重回転式電子部品。
【請求項２】
請求項１に記載の多重回転式電子部品において、
第２回転体と第３回転体のそれぞれに、第１回転体の外周壁の下辺の下側を通して外周壁の外方に突出するアーム部と、突出したアーム部に連結され前記第１回転体の外周壁の外方において上方向に突出する操作部とを有する操作レバーを設け、
前記第２回転体の操作レバーのアーム部を、第３回転体の筒状部分の上端部分より下方に位置させたことを特徴とする多重回転式電子部品。
【請求項３】
請求項１または２に記載の多重回転式電子部品において、
前記多重回転式電子部品は前記第１，第２，第３回転体のすべてを回転自在に軸支するつまみ支持部材を具備し、
このつまみ支持部材は、柱状に形成された軸支部の外周面の上下の部分をそれぞれ前記第２回転体中央の第２開口部と前記第３回転体中央の第３開口部に回動自在に挿入される軸支面とし、さらに前記軸支部の上面中央に前記第１回転体の第１回転軸を回動自在に挿入する軸支孔を設けて構成されていることを特徴とする多重回転式電子部品。
【発明の詳細な説明】
【技術分野】
【０００１】
本発明は、同軸上に３つの回転式電子部品を設置してなる多重回転式電子部品に関するものである。
【背景技術】
【０００２】
従来、ビデオカメラやデジタルスチルカメラなどの携帯機器において、その小型化のためにこれを操作する各種スイッチ類を一か所に集積化したものがある。たとえば特許文献１に示す多重回転式電子部品（１）においては、その図１に示すように、３つの回転式電子部品（１００），（２００），（３００）をそれらの各回転軸が同一軸となるように上下に重ね合わせて構成されている。
【０００３】
しかしながら上記特許文献１に示す従来の多重回転式電子部品（１）においては、各回転式電子部品（１００），（２００），（３００）の回転体（１４０），（２５０），（３３０）が上下に重ね合わせて設置されているので、各回転体（１４０），（２５０），（３３０）の高さ寸法（厚み寸法）を積算した寸法以下にはこの多重回転式電子部品（１）の高さを低くすることはできず、厚みの薄型化に限界があった。また上記のように各回転体（１４０），（２５０），（３３０）を積み上げて設置すると、下部に位置する回転体（３３０）を指で摘むことが困難になり、その回転操作をスムーズに行うことができなくなる恐れもあった。この問題は、多重回転式電子部品（１）が小型化すればするほど大きくなる。また従来とは異なる操作感覚の要望及びデザイン上の要望から、多重回転式電子部品（１）の少なくとも下側２つの回転式電子部品の回転体をあたかも同一面上に設置されているかのような構成にすることも要望されていたが、そのような構成のものはなかった。
【特許文献１】特開２００５−１９０３１号公報
【発明の開示】
【発明が解決しようとする課題】
【０００４】
本発明は上述の点に鑑みてなされたものでありその目的は、薄型化が図れ、下側の回転体であっても容易に操作でき、また下側２つの回転体をあたかも同一面上に設置されているかのように構成できる多重回転式電子部品を提供することにある。
【課題を解決するための手段】
【０００５】
本願請求項１に記載の発明は、下面から第１回転軸を突出してなる第１回転体と、筒状であって前記第１回転体の下側に配置されかつ前記第１回転軸と同じ軸中心で回転する第２回転体と、筒状であって前記第２回転体の下側に配置されかつ前記第１回転軸と同じ軸中心で回転する第３回転体と、前記第１回転体の回転によって回転操作される第１電気的機能部と、前記第２回転体の回転によって回転操作される第２電気的機能部と、前記第３回転体の回転によって回転操作される第３電気的機能部と、を具備し、前記第１回転体の下面の前記第１回転軸の周囲に収納部を設けてこの収納部内に少なくとも前記第２回転体を収納設置したことを特徴とする多重回転式電子部品にある。
【０００６】
本願請求項２に記載の発明は、請求項１に記載の多重回転式電子部品において、第２回転体と第３回転体のそれぞれに、第１回転体の外周壁の下辺の下側を通して外周壁の外方に突出するアーム部と、突出したアーム部に連結され前記第１回転体の外周壁の外方において上方向に突出する操作部とを有する操作レバーを設け、前記第２回転体の操作レバーのアーム部を、第３回転体の筒状部分の上端部分より下方に位置させたことを特徴とする多重回転式電子部品にある。
【０００７】
本願請求項３に記載の発明は、請求項１または２に記載の多重回転式電子部品において、前記多重回転式電子部品は前記第１，第２，第３回転体のすべてを回転自在に軸支するつまみ支持部材を具備し、このつまみ支持部材は、柱状に形成された軸支部の外周面の上下の部分をそれぞれ前記第２回転体中央の第２開口部と前記第３回転体中央の第３開口部に回動自在に挿入される軸支面とし、さらに前記軸支部の上面中央に前記第１回転体の第１回転軸を回動自在に挿入する軸支孔を設けて構成されていることを特徴とする多重回転式電子部品にある。
【発明の効果】
【０００８】
請求項１に記載の発明によれば、第１回転体の収納部内に少なくとも第２回転体を収納するので、多重回転式電子部品全体の高さを低く（厚みを薄く）構成することができる。
【０００９】
請求項２に記載の発明によれば、第２回転体の操作レバーと第３回転体の操作レバーとを第１回転体の外周壁の外方に突出させ、それらに設けた操作部によって第２、第３回転体を操作するので、下側に設置した回転体であってもこれらを容易に操作できる。さらに第２回転体の操作レバーのアーム部を、第３回転体の筒状部分の上端部分より下方に位置させたので、２つの操作レバーの高さ方向の位置を容易に同一高さに設置でき、外部から見ると下側２つの回転体があたかも同一面上に設置されているかのように構成でき、さらにこれら第２，第３回転体の操作が行い易くなり、またデザイン上でも斬新なものとなる。
【００１０】
請求項３に記載の発明によれば、３つの回転体を軸支する部材として１つのつまみ支持部材だけを用いればよくなり、簡単な構造で３つの回転体を容易に上下に積み重なるように軸支して設置することが可能になる。またこのつまみ支持部材の構造によれば、第１回転体に設けた収納部内への第２回転体（さらには第３回転体）の収納が容易に行える。
【発明を実施するための最良の形態】
【００１１】
以下、本発明の実施形態を図面を参照して詳細に説明する。図１は本発明の１実施形態にかかる多重回転式電子部品１の斜視図、図２は図１のＡ−Ａ概略断面図（ただし図示の都合上、各部の断面は必ずしもＡ−Ａ線上ではない）、図３は多重回転式電子部品１を上側から見た分解斜視図（その上部の部品）、図４は多重回転式電子部品１を上側から見た分解斜視図（その中間の部品）、図５は多重回転式電子部品１を上側から見た分解斜視図（その下部の部品）、図６は多重回転式電子部品１を下側から見た分解斜視図（その上部の部品）、図７は多重回転式電子部品１を下側から見た分解斜視図（その中間の部品）、図８は多重回転式電子部品１を下側から見た分解斜視図（その下部の部品）、図９はつまみ支持部材１６０を図４の反対側から見た斜視図、図１０は第２回転体７０の側面図、図１１は第３回転体１００の側面図である。これらの図に示すように多重回転式電子部品１は、第１回転体１０の下側に、押え部材（以下「押え板」という））４０と、第２回転体７０と、第３回転体１００と、ケース１３０と、つまみ支持部材１６０と、第１，第２，第３駆動体２００，２３０，２６０と、第１，第２，第３摺動子２９０，３００，３１０と、回路基板（以下「フレキシブル回路基板」という）３３０と、支持板３６０とを設置して構成されている。なお以下の説明において、「上」とは第３回転体１００から第１回転体１０を見る方向をいい、「下」とはその反対方向をいうものとする。
【００１２】
第１回転体１０は合成樹脂を略円板状に成形して構成されており、その外周壁１１はこの第１回転体１０を回転するつまみ部となっている。第１回転体１０の下面中央には下方向に向かって突出する第１回転軸１３が設けられ、また第１回転体１０の下面の第１回転軸１３の周囲は凹状の収納部１５になっている。第１回転軸１３は円柱状であり、その下面中央には円形凹状の取付孔１７（図２参照）が設けられ、取付孔１７の周囲を囲む位置からは３本の舌片状の係止突起１９が等間隔に下方向に向かって突出している。収納部１５は円形凹状に形成され、下記する押え板４０、第２回転体７０、第３回転体１００の外径寸法よりも大きい内径寸法を有している。
【００１３】
押え板４０は合成樹脂を薄い略円板状に成形して構成されており、中央には上下に貫通する円形の軸挿通孔４１が設けられ、軸挿通孔４１の周囲には円周状に等間隔に４つの上下に貫通する小孔からなる取付固定部４３が設けられている。また押え板４０の下面の所定位置（下記するつまみ支持部材１６０の第３クリック機構収納部１８９の押え部収納部１８９ａに対向する位置）には下方向に突出する略矩形状のクリック部材押え部４５が設けられている。
【００１４】
第２回転体７０は合成樹脂を筒状に成形して構成されており、その中央には円形の第２開口部７１が形成され、またその内周面の所定位置には凹凸状のクリック係合部７３が形成され、またその外周から第２回転体７０の回転軸に対して半径方向外方に操作レバー７５を突出し、またその所定位置から下方向に駆動体係止部７７を突出して構成されている。クリック係合部７３は略三角形状の凹部を２つ設けた形状であり、操作レバー７５を突出する部分の内側面に形成されている。操作レバー７５は、アーム部７５ａの先端に操作部７５ｂを設けて構成されており、アーム部７５ａは略平板状であって第２回転体７０の筒状の外周面からいったん下方向に突出した後に半径方向外方に突出しており、一方操作部７５ｂは略矩形状であってアーム部７５ａの先端に上方向に突出するように設けられている。言い換えればアーム部７５ａによって操作部７５ｂの高さ位置が少し下方に位置するように構成し、同時にアーム部７５ａの上面側に凹状のつまみ部挿通部７９を形成している。つまりアーム部７５ａによって寸法Ｌ１（図１０参照）だけ操作レバー７５全体の高さを低くしている。この寸法Ｌ１は下記する第３回転体１００の筒状部分の上面から操作レバー１０５のアーム部１０５ａの下面までの寸法Ｌ２（図１１参照）とほぼ同一となっている（Ｌ１≒Ｌ２）。さらにいえば、アーム部７５ａは、下記する第３回転体１００の筒状部分の上端部分（摺接部１１１の上面）より下方に位置するように、いったん下方向に突出した後に半径方向外方に突出している。一方駆動体係止部７７は第２回転体７０の外周側面から下方に向けて略平板矩形状に突出し、その下辺に上方向に凹状となる係止部７７ａを設けている。
【００１５】
第３回転体１００は合成樹脂を筒状に成形して構成されており、その中央には円形の第３開口部１０１が形成され、またその内周面の所定位置には凹凸状のクリック係合部１０３が形成され、またその外周から第３回転体１００の回転軸に対して半径方向外方に操作レバー１０５を突出し、またその所定位置から下方向に駆動体係止部１０７を突出して構成されている。クリック係合部１０３は略三角形状の凹部を４つ設けた形状であり、駆動体係止部１０７を突出する部分の内側面に形成されている。操作レバー１０５は、アーム部１０５ａの先端に操作部１０５ｂを設けて構成されており、アーム部１０５ａは略平板状であって第２回転体１００の筒状の外周面の下部から半径方向外方に向けて突出しており、一方操作部１０５ｂは略矩形状であってアーム部１０５ａの先端に上方向に突出するように設けられている。そしてアーム部１０５ａの上部に凹状のつまみ部挿通部１０９が形成されている。駆動体係止部１０７は第３回転体１００の外周側面から下方に向けて略平板矩形状に突出し、その下辺に上方向に凹状となる係止部１０７ａを設けている。また第３回転体１００の筒状部分の上辺には凸条からなる摺接部１１１が設けられている。
【００１６】
ケース１３０は合成樹脂を略板状に成形して構成されており、その所定位置に上下に貫通する略円形の軸支部挿通孔１３１を設けている。ケース１３０の軸支部挿通孔１３１周囲の一部上面には、略円弧状で凹状の操作部収納部１３３が形成され、操作部収納部１３３中の所定位置にはその外周辺から内側に向かって突出して操作部収納部１３３を２つの領域に区画する棒状の区画用突起１３５が設けられている。操作部収納部１３３の底面は同一の平面であり、この底面の軸支部挿通孔１３１から離れた側には円弧状で上下に貫通する貫通孔１３６が区画用突起１３５の両側に一対設けられている。ケース１３０下面の複数位置にはねじ止め孔１３７が設けられ、またケース１３０下面の複数位置には下方向に向かって突出する小突起からなる係止部１３９が設けられている。
【００１７】
つまみ支持部材１６０は合成樹脂の一体成型品であり、略平板状のケース部１６１と、ケース部１６１の上面中央から上方向に柱状に突出して形成される軸支部１６３とを具備して構成されている。ケース部１６１はその下面の前記軸支部１６３の真下の部分に略円形凹状の第１駆動体収納部１６５を形成し、またその下面の第１駆動体収納部１６５の周囲にこれを囲むように円弧状の凹部からなる第２駆動体収納部１６７と第３駆動体収納部１６９とを形成して構成されている。第２駆動体収納部１６７と第３駆動体収納部１６９は略同一円弧上に連続して形成されている。第２，第３駆動体収納部１６７，１６９の上面にはそれぞれ円弧状の貫通孔からなる軸挿通部１７１，１７３が形成されている。またこのケース部１６１の所定位置（３か所）には上下に貫通する小孔からなる取付部１７５が設けられている。またケース部１６１の下面の所定位置からは小突起状の係止部１７６が突出している。またケース部１６１の上面の前記ケース１３０の一対の貫通孔１３６に対向する位置には、これら貫通孔１３６に挿入されて摺接部収納部１３３の底面上に突出する円弧状凸条の摺接突起１７４が一対設けられている。
【００１８】
一方軸支部１６３は円形の柱状に形成され、その外周面の上下の部分をそれぞれ軸支面１７７，１７９とし、また軸支部１６３の上面１８１の中央に円形の開口からなる軸支孔１８３を設けて構成されている。軸支孔１８３は上面１８１から下方向に突出する略筒状部分の内部に形成されている。前記軸支面１７７は前記第２回転体７０の第２開口部７１に回動自在に挿入される寸法に形成され、前記軸支面１７９は前記第３回転体１００の第３開口部１０１に回動自在に挿入される寸法に形成され、前記軸支孔１８３は前記第１回転体１０の第１回転軸１３を回動自在に挿入する寸法に形成されている。軸支面１７７の外径寸法は軸支面１７９の外径寸法よりも少し小さい寸法であり、両面間には段差がある。軸支部１６３の上面１８１の前記押え板４０の各取付固定部４３に対向する位置には、これら各取付固定部４３に挿入される小突起からなる取付突起１８５が設けられている。また上面１８１には、矩形凹状であって外周の軸支面１７７も切り欠くように形成される第２クリック機構収納部１８７と、矩形凹状であって外周の軸支面１７７と軸支面１７９の両者にわたってこれらを切り欠くように形成される第３クリック機構収納部１８９（図９参照）とが形成されている。第３クリック機構収納部１８９の上部の軸支面１７７に形成されている部分は、前記押え板４０のクリック部材押え部４５をほぼぴったり挿入する押え部収納部１８９ａとなっている。さらに上面１８１の裏面の前記軸支孔１８３の左右両側部からは下方向に向って一対の筒状部が突出しており、それらの内部は下方に解放された凹状の第１クリック機構収納部１９３，１９３となっている。
【００１９】
第１駆動体２００は合成樹脂を略円板状に成形して構成されており、その中央には上下に貫通する小孔からなる挿通孔２０１が設けられ、挿通孔２０１の周囲の前記第１回転体１０の各係止突起１９に対向する位置にはこれら各係止突起１９をぴったり挿入する係止孔２０３が設けられ、係止孔２０３周囲の第１駆動体２００上面にはリング状の凹凸からなるクリック係合部２０５が設けられ、また第１駆動体２００の下面には下記する第１摺動子２９０を固定する小突起状の取付突起２０７が設けられている。
【００２０】
第２駆動体２３０は合成樹脂を上から見て略円弧状に湾曲する略板形状に形成して構成されており、その上面には上方向に突出する小突起状の軸部２３１が設けられ、その下面には下記する第２摺動子３００を固定する小突起状の取付突起２３３が設けられている。
【００２１】
第３駆動体２６０は合成樹脂を上から見て略円弧状に湾曲する略板形状に形成して構成されており、その上面には上方向に突出する小突起状の軸部２６１が設けられ、その下面には下記する第３摺動子３１０を固定する小突起状の取付突起２６３が設けられている。
【００２２】
第１，第２，第３摺動子２９０，３００，３１０はいずれも弾性金属板製の摺動子基部２９１，３０１，３１１の一辺から摺動冊子２９３，３０３，３１３を突出し下方向に略１８０°折り返して構成されている。各摺動子基部２９１，３０１，３１１には前記
第１，第２，第３駆動体２００，２３０，２６０の取付突起２０７，２３３，２６３を挿入する小孔からなる取付孔２９５，３０５，３１５が設けられている。
【００２３】
フレキシブル回路基板３３０は可撓性を有する合成樹脂フイルムの表面に回路パターンを形成して構成されており、略矩形状に形成した基板本体部３１１の外周辺から細帯状の引出部３３３を引き出している。基板本体部３１１の上面の所定位置には円形の第１スイッチパターン３３４が形成され、第１スイッチパターン３３４の周囲を囲む位置には円弧状の第２スイッチパターン３３５と第３スイッチパターン３３７とが形成されている。第２，第３スイッチパターン３３５，３３７は前記第１スイッチパターン３３４の中心を中心とする略同一円周上に形成されている。基板本体部３１１の前記ケース１３０の各係止部１３９とつまみ支持部材１６０の各係止部１７６に対向する位置にはこれら各係止部１３９，１７６を挿入する小孔からなる係止孔３３９が形成され、また基板本体部３１１の前記ケース１３０の１つのねじ止め孔１３７（中央のもの）に対向する位置に貫通孔３４１が形成されている。引出部３３３の先端辺近傍には前記第１，第２，第３スイッチパターン３３４，３３５，３３７からの出力を外部に取り出す接点パターン３４３が形成されている。
【００２４】
支持板３６０は金属板を前記フレキシブル回路基板３３０の基板本体部３１１の外形形状とほぼ同一の外形形状に形成して構成されており、前記フレキシブル回路基板３３０の各係止孔３３９に対向する位置に小孔からなる係止孔３６１を設け、また前記フレキシブル回路基板３３０の貫通孔３４１に対向する位置と、それ以外の前記ケース１３０のねじ止め孔１３７に対向する位置とにそれぞれねじ挿入孔３６３を形成している。なお図４，図７に示す４つの３８０はクリック用コイルばね、４つの３８１はクリック用ボール、４つの３８５はビスである。また図５，図８に示す４つの３８７はビスである。
【００２５】
次に多重回転式電子部品１の組立方法を説明する。まず予め第１，第２，第３駆動体２００，２３０，２６０の下面にそれぞれ第１，第２，第３摺動子２９０，３００，３１０を設置して各取付突起２０７，２３３，２６３を各取付孔２９５，３０５，３１５に挿入してそれぞれの先端を熱かしめして取り付けておく。そしてまずケース１３０の下面側につまみ支持部材１６０を設置し、その際つまみ支持部材１６０の軸支部１６３をケース１３０の軸支部挿通孔１３１に挿入する。そしてつまみ支持部材１６０の３つの取付部１７５にそれぞれその下面側からビス３８５を挿入してケース１３０の各ねじ止め孔１３７にねじ込み、これによってケース１３０とつまみ支持部材１６０とを一体化する。このときつまみ支持部材１６０の摺接突起１７４はケース１３０の貫通孔１３６に挿入され上方に突出している。
【００２６】
次にケース１３０の上面側に突出している前記軸支部１６３を前記第３回転体１００の第３開口部１０１に挿入し、軸支部１６３の軸支面１７９に回動自在に軸支させる。次に軸支部１６３に設けた第３クリック機構収納部１８９にクリック用コイルばね３８０とクリック用ボール３８１とを収納する。次に前記軸支部１６３を前記第２回転体７０の第２開口部７１に挿入し、軸支部１６３の軸支面１７７に回動自在に軸支させる。次に軸支部１６３に設けた第２クリック機構収納部１８７にクリック用コイルばね３８０とクリック用ボール３８１とを収納する。次に軸支部１６３の上面１８１に押え板４０を設置し、その際上面１８１に設けた各取付突起１８５を押え板４０の各取付固定部４３に挿入し、各取付突起１８５の先端を熱かしめすることで押え板４０を軸支部１６３上に固定する。これによって第２クリック機構収納部１８７の上部は押え板４０によって塞がれ、第３クリック機構収納部１８９はその押え部収納部１８９ａに押え板４０のクリック部材押え部４５が挿入されることで塞がれる。またこのとき図１に示すように、第２，第３回転体７０，１００の両操作レバー７５，１０５はそれぞれケース１３０の操作部収納部１３３の区画用突起１３５によって区画されている両側位置にそれぞれ設置され、それらの下面は摺接突起１７４上に当接する。操作部収納部１３３の底面は同一面であり、また一対の摺接突起１７４の上辺も同一面であり、両操作レバー７５，１０５のアーム部７５ａ，１０５ａの上面Ｓ１及び下面Ｓ２のそれぞれの高さ位置（図１０、図１１参照）と、操作部７５ｂ，１０５ｂの高さ位置とはいずれも両操作レバー７５，１０５において同一高さ（回転軸に直交する同一面の位置、同一水平面の位置）であり並列に設置されている。つまり両操作部７５ｂ，１０５ｂの高さは両操作レバー７５，１０５の両アーム部７５ａ，１０５ａの形状によって調整されている。またこのとき、第３クリック機構収納部１８９に収納したクリック用ボール３８１はクリック用コイルばね３８０によって第３回転体１００のクリック係合部１０３に弾接し、第２クリック機構収納部１８７に収納したクリック用ボール３８１はクリック用コイルばね３８０によって第２回転体７０のクリック係合部７３に弾接している。また図２に示すように第３回転体１００の摺接部１１１には、つまみ支持部材１６０の両軸支面１７７，１７９の間の段差（段部）の部分上に載置されている第２回転体７０の下面が当接することで、第３回転体１００の上下方向のがたつきが防止されている。第２回転体７０もその上辺に設けた凸条からなる摺接部７８に押え板４０の下面が当接することで、第２回転体７０の上下方向のがたつきが防止されている。
【００２７】
次に前記押え板４０を取り付けた軸支部１６３の上に第１回転体１０を設置し、その際第１回転体１０の第１回転軸１３を押え板４０の軸挿通孔４１を通して軸支部１６３の軸支孔１８３に回動自在に挿入し、その先端を軸支孔１８３の下面側に突出する。このとき両操作レバー７５，１０５のつまみ部挿通部７９，１０９内を第１回転体１０の外周壁１１の下辺が通過する。言い換えれば第２回転体７０と第３回転体１００のそれぞれから第１回転体１０の外周壁１１の下辺の下側を通して外周壁１１の外方に操作レバー７５，１０５が突出し、これら操作レバー７５，１０５に設けた操作部７５ｂ，１０５ｂが何れも外周壁１１の外方において上方向に突出し、これら２つの操作部７５ｂ，１０５ｂが同一高さで並列に設置された構成となる。またこのとき第２，第３回転体７０，１００に設けた駆動体係止部７７，１０７は、それぞれつまみ支持部材１６０の軸挿通部１７１，１７３内に挿入され、第２，第３駆動体収納部１６７，１６９内に突出している。
【００２８】
次に軸支部１６３の下面側に設けた一対の第１クリック機構収納部１９３にそれぞれクリック用コイルばね３８０とクリック用ボール３８１とを収納し、その下側に第１駆動体２００を設置し、第１回転軸１３の各係止突起１９を第１駆動体２００の各係止孔２０３に挿入・係合し、次に第１駆動体２００の挿通孔２０１にその下面側からビス３８５を挿入して第１回転軸１３先端の取付孔１７（図２参照）にねじ込み、これによってつまみ支持部材１６０を挟んで第１回転体１０と第１駆動体２００とを回転自在に一体化する。このとき前記第１クリック機構収納部１９３内のクリック用ボール３８１は第１駆動体２００上面のクリック係合部２０５にクリック用コイルばね３８０の弾発力によって弾接する。
【００２９】
次につまみ支持部材１６０下面の第２，第３駆動体収納部１６７，１６９にそれぞれ第２，第３駆動体２３０，２６０を収納し、その際第２，第３駆動体収納部１６７，１６９内に挿入されている第２，第３回転体７０，１００の駆動体係止部７７，１０７の係止部７７ａ，１０７ａに、それぞれ第２，第３駆動体２３０，２６０の軸部２３１，２６１を係合する。次にその下側にフレキシブル回路基板３３０と支持板３６０とを設置し、その際ケース１３０の各係止部１３９とつまみ支持部材１６０の各係止部１７６をフレキシブル回路基板３３０の各係止孔３３９と支持板３６０の各係止孔３６１とに挿入して位置決めし、支持板３６０の各ねじ挿入孔３６３にその下面側からビス３８７を挿入し、ケース１３０の各ねじ止め孔１３７にねじ込み、一体化する。これによって図１，図２に示す多重回転式電子部品１が完成する。なお上記組立手順はその一例であり、他の各種異なる組立手順を用いて組み立てても良いことはいうまでもない。
【００３０】
そして多重回転式電子部品１の第１回転体１０を回転すれば、これと一体に第１駆動体２００が回転し、これに取り付けている第１摺動子２９０の摺動冊子２９３がフレキシブル回路基板３３０上の第１スイッチパターン３３４上を摺動し、その電気的出力が変化する。第１駆動体２００が回転する際、一対のクリック用ボール３８１がクリック係合部２０５の凹凸を乗り越えることでクリック感触が生じる。また第２回転体７０の操作部７５ｂを操作することで第２回転体７０を回転すれば、これと一体に第２駆動体２３０が回転し、これに取り付けている第２摺動子３００の摺動冊子３０３がフレキシブル回路基板３３０上の第２スイッチパターン３３５上を摺動し、その電気的出力が変化する。第２回転体７０が回転する際、クリック用ボール３８１がクリック係合部７３の凹凸を乗り越えることでクリック感触が生じる。第２回転体７０はクリック係合部７３の２つの凹部にクリック用ボール３８１が移動する範囲で回転移動する。また第３回転体１００の操作部１０５ｂを操作することで第３回転体１００を回転すれば、これと一体に第３駆動体２６０が回転し、これに取り付けている第３摺動子３１０の摺動冊子３１３がフレキシブル回路基板３３０上の第３スイッチパターン３３７上を摺動し、その電気的出力が変化する。第３回転体１００が回転する際、クリック用ボール３８１がクリック係合部１０３の凹凸を乗り越えることでクリック感触が生じる。第３回転体１００はクリック係合部１０３の４つの凹部にクリック用ボール３８１が移動する範囲で回転移動する。なお前記第１摺動子２９０と第１スイッチパターン３３４とによって第１電気的機能部が構成され、第２摺動子３００と第２スイッチパターン３３５とによって第２電気的機能部が構成され、第３摺動子３１０と第３スイッチパターン３３７とによって第３電気的機能部が構成されている。
【００３１】
上記多重回転式電子部品１は上述のように、同じ軸中心で回転する第１回転体１０と第２回転体７０と第３回転体とを上下に重なるように設置してなる構造であるが、第１回転体１０の下面の第１回転軸１３の周囲に設けた収納部１５内に第２回転体７０の全体及び第３回転体１００の上側の一部を収納設置したので、多重回転式電子部品１全体の高さ寸法を低く（厚みを薄く）構成することができる。
【００３２】
また上記多重回転式電子部品１は、第２回転体７０と第３回転体１００のそれぞれに、第１回転体１０の外周壁１１の下辺の下側を通して外周壁１１の外方に突出するアーム部７５ａ，１０５ａと、突出したアーム部７５ａ，１０５ａに連結され前記第１回転体１０の外周壁１１の外方において上方向に突出する操作部７５ｂ，１０５ｂとを有する操作レバー７５，１０５を設けたので、下側に設置した第２，第３回転体７０，１００であってもこれらを容易に操作できる。また第２回転体７０の操作レバー７５のアーム部７５ａを、第３回転体１００の筒状部分の上端部分より下方に位置させたので、２つの操作レバー７５，１０５の高さ方向の位置を容易に同一高さに設置でき、外部から見ると下側２つの第２，第３回転体７０，１００があたかも同一面上に設置されているかのように構成でき、さらにこれら第２，第３回転体７０，１００の操作が行い易くなり、またデザイン上でも斬新なものとなる。
【００３３】
また上記多重回転式電子部品１は、第１，第２，第３回転体１０，７０，１００のすべてを回転自在に軸支するつまみ支持部材１６０を具備し、このつまみ支持部材１６０は、柱状に形成された軸支部１６３の外周面の上下の部分をそれぞれ第２回転体７０中央の第２開口部７１と第３回転体１００中央の第３開口部１０１に回動自在に挿入される軸支面１７７，１７９とし、さらに軸支部１６３の上面中央に第１回転体１０の第１回転軸１３を回動自在に挿入する軸支孔１８３を設けて構成したので、簡単な構造で３つの回転体１０，７０，１００を１つのつまみ支持部材１６０に容易に上下に積み重なるように軸支して設置することが可能になる。またこのつまみ支持部材１６０の構造は、第１回転体１０に設けた収納部１５内への第２回転体７０（さらには第３回転体１００）の収納が容易に行える構造である。
【００３４】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記実施形態では第１回転体１０の収納部１５内に第２回転体７０の全体及び第３回転体１００の上側の一部分を収納したが、少なくとも第２回転体７０の上側の一部分を収納設置する構成とすれば良く、その場合でも多重回転式電子部品１全体の高さ寸法を低くできる。逆に第３回転体１００の全体をも収納部１５内に収納してもよい。第１，第２，第３電気的機能部が必ずしも上記摺動子とスイッチパターンの組み合わせに限定されるものでないことは言うまでもなく、種々の変更が可能である。
【図面の簡単な説明】
【００３５】
【図１】多重回転式電子部品１の斜視図である。
【図２】図１のＡ−Ａ概略断面図である。
【図３】多重回転式電子部品１を上側から見た分解斜視図（その上部の部品）である。
【図４】多重回転式電子部品１を上側から見た分解斜視図（その中間の部品）である。
【図５】多重回転式電子部品１を上側から見た分解斜視図（その下部の部品）である。
【図６】多重回転式電子部品１を下側から見た分解斜視図（その上部の部品）である。
【図７】多重回転式電子部品１を下側から見た分解斜視図（その中間の部品）である。
【図８】多重回転式電子部品１を下側から見た分解斜視図（その下部の部品）である。
【図９】つまみ支持部材１６０を図４の反対側から見た斜視図である。
【図１０】第２回転体７０の側面図である。
【図１１】第３回転体１００の側面図である。
【符号の説明】
【００３６】
１  多重回転式電子部品
１０  第１回転体
１１  外周壁（つまみ部）
１３  第１回転軸
１５  収納部
４０  押え板（押え部材）
７０  第２回転体
７１  第２開口部
７５  操作レバー
７５ａ  アーム部
７５ｂ  操作部
１００  第３回転体
１０１  第３開口部
１０５  操作レバー
１０５ａ  アーム部
１０５ｂ  操作部
１３０  ケース
１６０  つまみ支持部材
１６１  ケース部
１６３  軸支部
１７７，１７９  軸支面
１８３  軸支孔
２００  第１駆動体
２３０  第２駆動体
２６０  第３駆動体
２９０  第１摺動子（第１電気的機能部）
３００  第２摺動子（第２電気的機能部）
３１０  第３摺動子（第３電気的機能部）
３３０  フレキシブル回路基板（回路基板）
３３４  第１スイッチパターン（第１電気的機能部）
３３５  第２スイッチパターン（第２電気的機能部）
３３７  第３スイッチパターン（第３電気的機能部）
３６０  支持板
【図１】
2010140692.tif 000003
【図２】
2010140692.tif 000004
【図３】
2010140692.tif 000005
【図４】
2010140692.tif 000006
【図５】
2010140692.tif 000007
【図６】
2010140692.tif 000008
【図７】
2010140692.tif 000009
【図８】
2010140692.tif 000010
【図９】
2010140692.tif 000011
【図１０】
2010140692.tif 000012
【図１１】
2010140692.tif 000013